(57)【要約】      （修正有）【課題】  表皮一体発泡品の発泡進行時に発生するガスが確実に抜出でき、しかも、発泡成形用の金型等が発泡体の漏出によって汚損されることがないようにする。【解決手段】  表皮材４内に注入する漏斗１に発泡体の外部への漏出を抑制すると共に発泡進行時のガスを放出する抜出片を設けたことを特徴とし、袋状の表皮材内に挿し込んだ漏斗を介して発泡液注入用のノズルより、表皮材内に注入して表皮材と一体に発泡成形するものである。前記抜出片は粗毛布、通気性ウレタンフォーム製シートまたはそれらの積層体からなり、前記漏斗に固定又は発泡注入時に開口し、注入後閉口可能に取付けてなるものである。【選択図】            図１
2006263958.tif 000002
【特許請求の範囲】
【請求項１】
袋状の表皮材内に挿し込んだ漏斗を介して発泡液注入用のノズルより、前記表皮材内に注入して表皮材と一体に発泡成形する表皮一体発泡品の製造装置であって、
前記漏斗に、発泡時のガスを抜出する抜出片を設けてなることを特徴とする表皮一体発泡品の製造装置。
【請求項２】
前記抜出片は前記ノズルからの発泡液の注入圧力により発泡液が注入可能且つ発泡進行時圧力による発泡液の外部への漏出を防止すると共に発泡進行時のガスを抜出する程度の通気性を有する部材で形成してなる請求項１記載の表皮一体発泡品の製造装置。
【請求項３】
前記抜出片は粗毛布、通気性ウレタンフォーム製シートまたはそれらの積層体からなる請求項１記載の表皮一体発泡品の製造装置。
【請求項４】
前記抜出片は前記漏斗に固定又は発泡液注入時に開口し、注入後閉口可能に取付けてなる請求項１記載の表皮一体発泡品の製造装置。
【発明の詳細な説明】
【技術分野】
【０００１】
本発明は自動車用シートに備えるヘッドレスト、アームレストなどの表皮一体発泡品の製造装置に関する。
【背景技術】
【０００２】
自動車用シートのヘッドレスト、アームレストなどには、袋状に縫製した表皮材内にフレーム等を配設した後、表皮材内に漏斗の先部を挿し込み、この漏斗に発泡液注入用のノズルを当てて、表皮材内に漏斗を介して発泡液を注入して表皮、フレームと一体に発泡体を発泡成形したものがある。
【０００３】
ところで、発泡液を表皮材内に注入すると発泡時にガスが発生し、このガスを外部に抜出させる必要がある。
このガスの抜出方法として、例えば、特許文献１に示すように、表皮及び金型に抜出孔を開孔し、この抜出孔を塞ぐ栓を機械的に開口してガスを抜出するものが開示されている。
【０００４】
【特許文献１】特開平１０ー１５９６３号公報
【発明の開示】
【発明が解決しようとする課題】
【０００５】
ところで、前記ガス抜出構造によれば、袋状の表皮材及びこの表皮材を収容する金型に、ガス抜き専用の抜出孔を開孔し、この抜出孔を栓で開閉する構造であるため、装置の構造が複雑になる。
【０００６】
また、表皮材に抜出孔が必要になるため、この抜出孔から表皮材の外部に発泡体が漏出する虞れがある。
【０００７】
そこで、本発明は構造簡単にしてガスの抜出孔からの発泡体の外部への漏出を完全に防止し得る製造装置を提供することを目的とする。
【課題を解決するための手段】
【０００８】
以上の目的を達成するための本発明に係る表皮一体発泡品の製造装置は、袋状の表皮材内に挿し込んだ漏斗を介して発泡液注入用のノズルより、前記表皮材内に注入して表皮材と一体に発泡成形する表皮一体発泡品の製造装置であって、前記漏斗に、発泡時のガスを抜出する抜出片を設けてなることを特徴とする構成である。
【０００９】
以上の構成により、表皮内に発泡液を注入する漏斗をガスの抜出孔として利用可能となる。
【００１０】
また、前記抜出片は前記ノズルからの発泡液の注入圧力により発泡液が注入可能且つ発泡進行時圧力による発泡液の外部への漏出を防止すると共に発泡進行時のガスを抜出する程度の通気性を有する部材で形成することにより、漏斗に設けた抜出片によって発泡体の外部へ漏出を抑制でき、且つ、ガスを抜出片から外部に抜出できる。
【００１１】
そして、前記抜出片は粗毛布、通気性ウレタンフォーム製シートまたはそれらの積層体から構成できる。
【００１２】
また、前記抜出片は前記漏斗に固定又は発泡液注入時に開口し、注入後閉口可能に取付けることにより、抜出片から発泡体の外部への漏出を防止でき、且つ、発泡進行時のガスを抜出片から外部に抜出する。
【発明の効果】
【００１３】
本請求項１の発明によれば、発泡進行時のガスを漏斗から外部に抜出できるので、ガスの抜出が確実になる。
また、漏斗に抜出片を設けるのみで、表皮材、金型に抜出孔を開孔する必要がないため、構造が簡単で、しかも、従来品の如く、表皮材及び金型の抜出孔から発泡体が外部に漏出する虞れが全くない。
【００１４】
本請求項２の発明によれば、表皮材内に発泡液注入用のノズルから高圧で注入される発泡液は抜出孔を通過して表皮材内に注入され、注入した発泡液が発泡し、漏斗内に残留する発泡液が発泡する。しかし、その発泡圧は注入時の圧力に対して低いため、抜出片によって発泡液の外部への漏出は抑制されるが、ガスは抜出片を通して外部に放出される。
従って、発泡成形後、発泡液が表皮材、金型の外部に漏出することがないし、ガスが表皮内に貯ることもない。
従って、発泡品の外観品質及び発泡体の品質を損なうことがない。
【発明を実施するための最良の形態】
【００１５】
以下、本発明の実施例を図面に基づいて説明する。
図１は本発明に係る装置を示し、図中１は漏斗、２は発泡液注入用のノズル、３は発泡時のガスを外部に抜出させる抜出片、４は袋状に縫製した表皮材、５は金型を各々示す。
【００１６】
前記漏斗１は発泡後の発泡体が内部から取り除き易いように、即ち、発泡体が内面から剥離し易いようにポリプロピレンなど合成樹脂で、金型５から金型５内に装着した表皮材４内に挿入する小径の細管１１と、この細管１１と一体で太管１２と、この太管１２の端部に一体に且つ太管１２に対して大径の鍔部１０とから構成されている。
【００１７】
以上の漏斗１の鍔部１０内に前記抜出片３が固定される。抜出片３は一枚又は複数の粗毛布、一枚は複数枚の通気性を有するウレタンフォーム製シート、或いは、それらの積層体などの表皮材４内に漏斗１を介してノズル２より注入した発泡液の発泡進行時に発生するガスが漏斗１を介して外部に抜出し、且つ、漏斗１内に残留した発泡液は発泡進行し、その発泡圧により漏斗１内から外部に完全に漏出しないか、又はわずかに漏出する程度の部材（材質）で、そして、ノズル２より漏斗１を介して表皮材４内に注入する際に、その注入圧により、発泡液が漏斗１内に注入できる程度の部材（材質）で形成されている。
【００１８】
図１に示す抜出片３は、漏斗１の鍔部１０内の段部１０Ａに両面接着テープ３Ａ又は接着剤で周囲が固定されている。
【００１９】
図２に示す抜出片３は漏斗１の鍔部１０に直接固定せずに金布３Ｂなどの通気性且つノズル２からの発泡液の注入圧によって発泡液が漏斗１内に注入される部材で、抜出片３をカバーすることにより抜出片３を固定している。なお、金布３Ｂはテープ３Ｃなどで漏斗１の太管１２に結着されている。
【００２０】
図３は図１に示す装置を使用してノズル２より、金型５内に装着した表皮材４に発泡液を注入する状態を示す。
ノズル２及び金型５は従来この種の発泡成形用に使用されているものを使用する。
【００２１】
そして、表皮材４は内部にフレーム、例えばヘッドレストの場合にはＵ字状のステーを挿入する挿入部が開口されており、この挿入部の一部に前記漏斗１の細管１１が挿し込まれる。挿入部は内側に向けて折返片部４゜４゜が接合するように形成され、発泡液が挿入部から外部に漏出することがないように形成されている。
【００２２】
なお、表皮材４はヘッドレスト、アームレストに使用されている従来周知の材質のもので、例えば、織物地、合成皮革などの表層材と、この内面側に有するウレタンフォームなどのワディングと、このワディングの外側に一体に設けた不織布などのワディングカバーとからなる積層体を使用している。
【００２３】
この表皮材４内に挿入部からフレームを装着した後、金型５に収容して、漏斗１の細管１１を金型５から表皮材４内に挿入後、図３に示すように、ノズル２の先端２０を抜出片３付の漏斗１に当て、発泡液を漏斗１を介して金型５内の表皮材４内に注入する。その際、発泡液は注入圧により抜出片３を通過して漏斗１内に圧入する。
【００２４】
すると、表皮材４内の発泡液は発泡が進行され、硬化し発泡体Ｐが表皮材４、フレームと共に一体に発泡成形される。
その発泡進行時に、ガスが表皮材４内に発生するが、このガスは漏斗１から抜出片３を通して外部に放出される。
【００２５】
そして、図４に示すように、前記発泡進行時に、漏斗１内に残留する発泡液が発泡して発泡体となるが、漏斗１内に設けた抜出片３が前述の如く構成されているため、抜出片３によって外部への漏出が抑制される。
【００２６】
なお、抜出片３に前記表皮材４のワディングと同一のウレタンフォームのシート（厚さ１０ミリ）を使用すると、図４に示すように、抜出片３の外部に山形状にわずかな発泡体Ｐ１が漏出して硬化するが、漏斗１の鍔部１０より外部に漏出することがない。そのため、金型５、表皮材４の外面が漏出した発泡体Ｐ１によって汚損されることがない。
【００２７】
従って、抜出片３によって、発泡液は高圧で注入できる反面、発泡圧は注入圧より小さいので、発泡体Ｐ１、Ｐ２の金型５外部への漏出を抑制できる。
発泡体の金型５への漏出を抑制できるので、発泡液の注入後、ノズル２を移動させ、すぐ次の金型に発泡体の注入が可能で、また、完成品は、漏斗２付きの状態で即座に脱型できることで、生産タクトを早めることが可能である。
【００２８】
なお、図４に示すパッドＰを発泡成形後は、金型５から表皮材４とフレームが一体のパッドＰからなるヘッドレスト、アームレストを取り出すと共に漏斗１を抜き取る。そして、漏斗１内の発泡体Ｐ１、Ｐ２及び抜出片３を漏斗１より除去して再度その漏斗１を使用してパッドＰを発泡成形する。
【図面の簡単な説明】
【００２９】
【図１】本発明装置の装着状態を示す断面図である。
【図２】本発明装置に使用する抜出片の他の固定方法を示す断面図である。
【図３】発泡液を注入する状態の断面図である。
【図４】図３の状態から発泡体を発泡成形した状態の断面図である。
【符号の説明】
【００３０】
１…漏斗、２…ノズル、３…抜出片、４…表皮材
【図１】
2006263958.tif 000003
【図２】
2006263958.tif 000004
【図３】
2006263958.tif 000005
【図４】
2006263958.tif 000006